(57)【要約】【課題】鉛直姿勢のポール部材を回転操作するときには水平姿勢にする一方、使用しないときには邪魔にならずに落下等の恐れのない鉛直姿勢にすることのできる安全で容易に準備して操作することのできる回転操作棒を提供すること。【解決手段】鉛直姿勢のまま回転自在に立設されているポール部材１０１を回転させる操作棒１０であって、前記ポール部材の外周面の回転軸を中心にする対称位置に突出する一対のピン部材１０２のそれぞれに回動自在に係合する一対の回動軸部１１と、該回動軸部の双方を一体的に回動させるように連結するとともに前記操作棒により一体的に回動可能に該操作棒の一端部を連結する連結支持部１２と、を備えており、前記ポール部材に一端部を連結する水平姿勢と該ポール部材に隣接する鉛直姿勢との間を回動させることができるように当該ポール部材に取り付けられる。【選択図】図１
2012032878.tif 000002
【特許請求の範囲】
【請求項１】
鉛直姿勢のまま回転自在に立設されているポール部材を回転させる操作棒であって、
前記ポール部材の外周面の回転軸を中心にする対称位置に突出する一対のピン部材のそれぞれに回動自在に係合する一対の回動軸部と、該回動軸部の双方を一体的に回動させるように連結するとともに前記操作棒の一端部を一体的に回動させるように連結する連結支持部と、を備えており、
前記ポール部材に一端部を連結する水平姿勢と該ポール部材に隣接する鉛直姿勢との間を回動させることができるように当該ポール部材に取り付けられていることを特徴とする回転操作棒。
【請求項２】
前記回転軸部は、前記ピン部材の外径程度の内径を有して該ピン部材を開口側から収納して当該ピン部材の外周周りに回転自在に係合するＣ字形状に形成されているとともに、
前記連結支持部は、前記回転軸部が側方を開口する姿勢のときに前記ポール部材に隣接する鉛直姿勢の前記操作棒の一端部を当該回転軸部に連結しており、
前記回転軸部は、開口側に前記ピン部材が離脱することを制限する脱落制限手段を備えているとともに、
前記操作棒の他端部側には、前記ポール部材に隣接する鉛直姿勢ときに当該姿勢を維持するように該ポール部材に解除可能に係合するロック手段が設けられていることを特徴とする請求項１に記載の回転操作棒。
【発明の詳細な説明】
【技術分野】
【０００１】
本発明は、回転操作棒に関し、詳しくは、鉛直の回転軸を操作する機能を確保しつつ邪魔にならない状態にすることのできるものに関する。
【背景技術】
【０００２】
各種装置機械の機能を利用するために動作・停止を切り換えるなどの操作をする方式として、鉛直なポール部材を設置して、そのポール部材を鉛直姿勢のまま回転させることにより、その操作力を連結されている装置機械側に伝達して切り換え操作などをするように構築されているものがある。
【０００３】
例えば、送電設備の送電系統の変更などを行うために断路器が設置されており、この断路器には、鉛直姿勢のポール部材をそのまま回転させることにより操作するように構築されているものがある。特許文献１では、ポール部材のネジ棒をハンドルで回転することにより連結棒を上下させて操作するようになっている。特許文献２、３では、回転碍子を回転させることにより操作するようになっている。
【０００４】
簡単に説明すると、例えば、送電設備の鉄塔上部などに設けられている断路器では、遠隔位置からその断路器を操作することができるように、鉄塔内に準備されている作業場所に設置する操作ユニットに鉛直姿勢のまま回転させるポール部材を取り付けて断路器に連結することにより、そのポール部材を回転させることで断路器を操作することができるように構築されているものがある。この断路器には、鉄塔上で操作する手動だけではなく、地上からも遠隔操作することができるようにした電動のものもあるが、場合によっては、手動の操作が必要になる場合もある。
【０００５】
このポール部材は、図３に示すように、外周面の径方向対称位置に一対のピン部材１０２が固設されているので、そのポール部材１０１を収納可能な大きさのコ字形状部材１１１が先端側に連設されている操作棒１１０を準備して、そのコ字形状部材１１１の対面部１１２に形成されている凹部１１２ａをピン部材１０２に係合させて操作棒１１０を水平姿勢のまま回動させることにより、ポール部材１０１を鉛直姿勢のまま回転させることができるようになっており、その回転操作棒１１０は、使用後には、ピン部材１０２から外して近傍に片付けて置くようになっている。
【先行技術文献】
【特許文献】
【０００６】
【特許文献１】実開平６−５０２０９号公報
【特許文献２】特開２０００−２５１５８６号公報
【特許文献３】特開２０００−２５１５８７号公報
【発明の概要】
【発明が解決しようとする課題】
【０００７】
しかしながら、このような回転操作棒１１０にあっては、ポール部材１０１を操作しない場合には、そのポール部材１０１から外す必要があり、ポール部材１０１を鉛直姿勢のまま回転させる負荷は大きいことから、例えば、鉄製の長尺部材で作製するために相当な重量のある道具となって、不用意に落下させると、作業員だけでなく、周囲にも危険が及ぶ恐れがある。
【０００８】
そこで、本発明は、鉛直姿勢のポール部材を回転操作するときには水平姿勢にする一方、使用しないときには邪魔にならずに落下等の恐れのない鉛直姿勢にすることのできる安全で容易に準備して操作することのできる回転操作棒を提供することを目的としている。
【課題を解決するための手段】
【０００９】
上記課題を解決する回転操作棒の発明は、鉛直姿勢のまま回転自在に立設されているポール部材を回転させる操作棒であって、前記ポール部材の回転軸を中心にして外周面の対称位置に突出する一対のピン部材のそれぞれに回動自在に係合する一対の回動軸部と、該回動軸部の双方を一体的に回動させるように連結するとともに前記操作棒の一端部を一体的に回動させるように連結する連結支持部と、を備えており、前記ポール部材に一端部を連結する水平姿勢と該ポール部材に隣接する鉛直姿勢との間を回動させることができるように当該ポール部材に取り付けられていることを特徴とするものである。
【００１０】
この発明では、ポール部材のピン部材のそれぞれに回動軸部を回転自在に係合させるだけで、その回動軸部と一体の連結支持部を介して一端部が連結されている操作棒を水平姿勢と鉛直姿勢とに回動させることができ、ポール部材を回動中心にして水平姿勢の操作棒を回動させることにより、そのモーメント力でポール部材を鉛直姿勢のまま回転させることができる一方、使用しないときにはそのポール部材に隣接する鉛直姿勢に操作棒を回動させることができる。したがって、図３に示す回転操作棒１１０と同様に操作してポール部材１０１を鉛直姿勢のまま回転させることができるのに加えて、操作しないときには、取り外すことなく、鉛直姿勢にして隣接するポール部材１０１に縛るなどして片付けることができる。
【発明の効果】
【００１１】
このように本発明によれば、ポール部材に取り付けたまま水平姿勢に回動させるだけでそのポール部材を鉛直姿勢のまま回転させる操作をすることができるとともに、そのまま鉛直姿勢にしてポール部材に隣接する状態に片付けることができる。したがって、ポール部材から取り外すことなく、そのままそのポール部材を回転させる操作をすることができ、一端側が回動自在に係合されているので、重量のある道具を運ぶ必要がなく、このため、落下等の事故の可能性をなくして、安全かつ容易にポール部材を操作することを実現することができる。
【図面の簡単な説明】
【００１２】
【図１】本発明に係る回転操作棒の一実施形態を示す図であり、その概略全体構成を示す正面図である。
【図２】その要部構造を示す図であり、（ａ）は図１における紙面の裏面側からの拡大背面図、（ｂ）はその側面側からの拡大側面図、（ｃ）は図１におけるＡ−Ａ断面図である。
【図３】従来技術を示す使用時の状態を示す正面図である。
【発明を実施するための形態】
【００１３】
本発明の実施形態としては、上記の課題解決手段のように、鉛直姿勢のまま回転自在に立設されているポール部材を回転させる操作棒であって、前記ポール部材の回転軸を中心にして外周面の対称位置に突出する一対のピン部材のそれぞれに回動自在に係合する一対の回動軸部と、該回動軸部の双方を一体的に回動させるように連結するとともに前記操作棒の一端部を一体的に回動させるように連結する連結支持部と、を備えており、前記ポール部材に一端部を連結する水平姿勢と該ポール部材に隣接する鉛直姿勢との間を回動させることができるように当該ポール部材に取り付けられていることを基本構成とするのに加えて、次の構成を備えてもよい。
【００１４】
第１の形態としては、前記回転軸部は、前記ピン部材の外径程度の内径を有して該ピン部材を開口側から収納して当該ピン部材の外周周りに回転自在に係合するＣ字形状に形成されているとともに、前記連結支持部は、前記回転軸部が側方を開口する姿勢のときに前記ポール部材に隣接する鉛直姿勢の前記操作棒の一端部を当該回転軸部に連結しており、前記回転軸部は、開口側に前記ピン部材が離脱することを制限する脱落制限手段を備えているとともに、前記操作棒の他端部側には、前記ポール部材に隣接する鉛直姿勢ときに当該姿勢を維持するように該ポール部材に解除可能に係合するロック手段が設けられていてもよい。
【００１５】
この形態では、ポール部材のピン部材を操作棒一端部のＣ字形状の回動軸部内に収納してその操作棒を水平姿勢と鉛直姿勢とに回転自在に係合させることができ、その操作棒が鉛直姿勢のときに回動軸部のＣ字形状の側方の開口側からピン部材が離脱することを制限するとともに、隣接するポール部材に係合ロックさせて待機させることができる。したがって、操作棒が不用意に外れて脱落してしまうことを未然に回避することができ、使用する度に操作棒を取り付ける手間を省くことができるとともに、使用しないときには邪魔にならない状態にしておくことができる。
【００１６】
以下、図面を参照して、本発明の実施形態について詳細に説明する。図１および図２は本発明に係る回転操作棒の一実施形態を示す図である。ここで、本実施形態では、図３で説明したポール部材１０１を同様に回転操作する場合を一例にして説明する。
【００１７】
図１および図２において、回転操作棒１０は、送電線を架線する鉄塔に設置されている不図示の断路器を送電系統の変更などを行う際に操作するものであり、その送電線近傍の断路器に向かって操作ボックス１００から上方に延在しているポール部材１０１をその鉛直姿勢のまま回転させて操作することができるように設置されている。
【００１８】
回転操作棒１０は、ポール部材１０１の回転軸を中心にする外周面対称位置で突出する一対のピン部材１０２のそれぞれを収納して回動自在に係合する一対の回動軸部１１と、この回動軸部１１同士を一体的に回動させるように連結するとともに操作棒本体１０ａも一体回動させるように連結して支持する連結支持部１２と、を備えて構築されている。
【００１９】
具体的には、回動軸部１１は、ピン部材１０２の外径程度の内径を有するＣ字形状に形成されており、そのＣ字形状内に開口側から収納することによりピン部材１０２の外周周りに回転自在に係合することができる。なお、ポール部材１０１は、ピン部材１０２の下方にフランジ形状部１０３が形成されているので、回動軸部１１は、開口側を側方から上方に向ける１８０度の範囲で回動することができる。
【００２０】
連結支持部１２は、Ｃ字形状の開口を側方に向けている姿勢の回動軸部１１のそれぞれの上面に固設されて上方に延在する延長部１２ａと、ポール部材１０１の外周面に沿うように湾曲して延長部１２ａのそれぞれの上部が固設されている湾曲部１２ｂと、を備えており、操作棒本体１０ａの一端部は一方の湾曲部１２ｂの上部に固設されている。
【００２１】
これにより、回転操作棒１０は、回動軸部１１、連結支持部１２（延長部１２ａ、湾曲部１２ｂ）および操作棒本体１０ａが相対的に姿勢を変えることができないように一体的に固設されることにより、操作棒本体１０ａの一端側の回動軸部１１（ピン部材１０２）を中心にして上下方向に回動させることができる。この回転操作棒１０は、その操作棒本体１０ａの他端側を把持して水平姿勢に回動させた後に、その水平姿勢のまま水平方向に回動させることができ、ポール部材１０１を鉛直姿勢のまま操作棒本体１０ａのモーメント力で容易に回転させることができる。一方、回転操作棒１０は、その操作棒本体１０ａの他端側を把持して回転操作する水平姿勢から上昇させてポール部材１０１に隣接する位置で同様の鉛直姿勢にすることもできる。
【００２２】
そして、回転操作棒１０は、回動軸部１１のＣ字形状の開口を閉止するようにネジ止めする脱落防止板（脱落制限手段）１３が取り付けられており、ポール部材１０１にはフランジ形状部１０３が設けられているのでそうそうないことではあるが、操作棒本体１０ａの不用意な操作によってピン部材１０２から回動軸部１１が外れてしまうことを制限するようになっている。
【００２３】
また、その操作棒本体１０ａには、図１に示すように、鉛直姿勢のときに隣接するポール部材１０１に向かって近接または離隔する方向に回動自在に一対の板状部材（ロック手段）１４が一端側を回動軸１４ａに軸支されており、この板状部材１４は、図中時計回りに回動させたときにストッパ１５に突き当たって衝止される位置で、操作棒本体１０ａの回動方向に対して直交する方向からポール部材１０１を図面の表裏側で挟み込んで解除不能に係合することにより、その操作棒本体１０ａが水平姿勢になる方向に回動しようとするのを制限することができる。
【００２４】
これにより、回転操作棒１０は、ピン部材１０２から回動軸部１１が外れて脱落してしまうことなく操作することができるとともに、使用しないときには鉛直姿勢にしてポール部材１０１を板状部材１４で挟み込むことにより水平姿勢になる方向に回動してしまわないように保持することができ、邪魔にならない状態にして待機させることができる。また、ポール部材１０１を回転させる際には、その板状部材１４を反時計回りに回動させるだけで係合ロックする状態を解除して回転操作棒１０（操作棒本体１０ａ）を水平姿勢に回動させるだけで使用することができる。
【００２５】
このように本実施形態においては、回転操作棒１０は、回動軸部１１内にピン部材１０２を収納させてポール部材１０１に取り付けた状態のまま、水平姿勢に回動させるだけでそのポール部材１０１を鉛直姿勢のまま回転させることができるとともに、そのまま上方に回動させて鉛直姿勢にしてポール部材１０１に板状部材１４を係合させることにより隣接状態にして片付けることができる。したがって、重量のある他に使い道のない回転操作棒１０は、ポール部材１０１から取り外すことなく、そのまま必要なときに水平姿勢にして利用する一方、使用しないときにはそのまま鉛直姿勢にして邪魔にならないように片付けることができ、落下等の事故を起こすことなく、安全かつ容易にポール部材１０１の操作をすることができる。
【００２６】
ここで、本実施形態の他の態様としては、図示することは省略するが、板状部材１４を省略して操作棒本体１０ａをポール部材１０１に縛るようにしても良いが、縛るにしても緩む可能性があることから、本実施形態のように構築するのが好適である。また、その操作棒本体１０ａは、連結支持部１２の延長部１２ａ間の湾曲部１２ｂに一端部を固設しても良いが、板状部材１４を側方から回動させて操作棒本体１０ａの回動を制限するように係合させることができることから、本実施形態のように構築するのが好適である。
【産業上の利用可能性】
【００２７】
これまで本発明の一実施形態について説明したが、本発明は上述の実施形態に限定されず、その技術的思想の範囲内において種々異なる形態にて実施されてよいことは言うまでもない。
【符号の説明】
【００２８】
１０……回転操作棒      １０ａ……操作棒本体      １１……回動軸部      １２……連結支持部      １４……板状部材      １５……ストッパ      １００……操作ボックス      １０１……ポール部材      １０２……ピン部材
【図１】
2012032878.tif 000003
【図２】
2012032878.tif 000004
【図３】
2012032878.tif 000005